(57)【要約】【課題】撮影中に受信している文字データ放送の文字データを閲覧又は利用することが可能な撮像装置、撮像装置の制御方法及び撮像装置の制御プログラムを提供する。【解決手段】テレビモードが設定されているときに、システム制御部５０がシャッタスイッチＳＷ（１）６２の押下を検出すると、自動的に映像放送（テレビモード）を中断し、スルー画像（ライブ画像）を表示するカメラモードとなる。そして、文字データ放送の受信は中止せずに、文字データをスルー画像に重ねて表示するか、又は画像表示部２８に含まれる文字放送表示部に表示する。【選択図】図２
2008061131.tif 000002
【特許請求の範囲】
【請求項１】
被写体を撮影する撮像手段と、
撮影前の被写体像をスルー画像として表示可能な表示手段と、
映像の放送を受信する映像放送受信手段と、
文字データの放送を受信する文字データ放送受信手段と、
前記映像放送受信手段で受信された映像を前記表示手段に表示させると同時に、前記文字データ放送受信手段で受信された文字データを前記表示手段に表示させるテレビモードと、前記撮像手段により被写体の撮影を行う撮影モードとのいずれかを設定するモード設定手段と、
前記モード設定手段で前記テレビモードが設定されているときに、所定のボタンが押下されると、該表示手段による映像の表示を前記スルー画像の表示に切り替えるとともに、当該スルー画像上に受信された文字データを表示するように前記表示手段を制御する制御手段とを備えることを特徴とする撮像装置。
【請求項２】
前記モード設定手段で前記テレビモードが設定されているときに、所定のボタンが押下されると、前記映像放送受信手段からの映像の放送の受信を中止することを特徴とする請求項１記載の撮像装置。
【請求項３】
被写体を撮影する撮像手段と、
撮影前の被写体像をスルー画像として表示可能な表示手段と、
映像の放送を受信する映像放送受信手段と、
文字データの放送を受信する文字データ放送受信手段と、
前記映像放送受信手段で受信された映像を前記表示手段に表示させると同時に、前記文字データ放送受信手段で受信された文字データを前記表示手段に表示させるテレビモードと、前記撮像手段により被写体の撮影を行う撮影モードとのいずれかを設定するモード設定手段と、
前記モード設定手段で前記撮影モードが設定されているときに、前記文字データ放送受信手段により受信された文字データからキーワードを抽出するキーワード抽出手段と、
当該キーワード抽出手段により抽出されたキーワードを前記スルー画像上に表示するように前記表示手段を制御する制御手段と
を備えることを特徴とする撮像装置。
【請求項４】
前記制御手段は前記キーワードの使用頻度を判断し、所定の閾値を超えている使用頻度のキーワードを前記スルー画像上に表示するように前記表示手段を制御することを特徴とする請求項３記載の撮像装置。
【請求項５】
前記制御手段は前記キーワード抽出手段により抽出されたキーワードを撮影画像に登録することを特徴とする請求項３又は４記載の撮像装置。
【請求項６】
前記キーワード抽出手段で前記データ放送受信手段により受信された文字データから複数のキーワードが抽出された場合に、撮影画像に登録するキーワードを選択するキーワード選択手段を備えることを特徴とする請求項５記載の撮像装置。
【請求項７】
前記制御手段は前記キーワード選択手段により選択されたキーワードに基づいて撮像装置の設定を変更することを特徴とする請求項６記載の撮像装置。
【請求項８】
被写体を撮影する撮像手段と、撮影前の被写体像をスルー画像として表示可能な表示手段とを備える撮像装置の制御方法であって、
映像の放送を受信する映像放送受信工程と、
文字データの放送を受信する文字データ放送受信工程と、
前記映像放送受信工程で受信された映像を前記表示手段に表示させると同時に、前記文字データ放送受信工程で受信された文字データを前記表示手段に表示させるテレビモードと、前記撮像手段により被写体の撮影を行う撮影モードとのいずれかを設定するモード設定工程と、
前記モード設定工程で前記テレビモードが設定されているときに、所定のボタンが押下されると、該表示手段による映像の表示を前記スルー画像の表示に切り替えるとともに、当該スルー画像上に受信された文字データを表示するように前記表示手段を制御する制御工程とを備えることを特徴とする撮像装置の制御方法。
【請求項９】
被写体を撮影する撮像手段と、撮影前の被写体像をスルー画像として表示可能な表示手段とを備える撮像装置の制御方法であって、
映像の放送を受信する映像放送受信工程と、
文字データの放送を受信する文字データ放送受信工程と、
前記映像放送受信工程で受信された映像を前記表示手段に表示させると同時に、前記文字データ放送受信工程で受信された文字データを前記表示手段に表示させるテレビモードと、前記撮像手段により被写体の撮影を行う撮影モードとのいずれかを設定するモード設定工程と、
前記モード設定工程で前記撮影モードが設定されているときに、前記文字データ放送受信工程により受信された文字データからキーワードを抽出するキーワード抽出工程と、
当該キーワード抽出工程により抽出されたキーワードを前記スルー画像上に表示するように前記表示手段を制御する制御工程と
を備えることを特徴とする撮像装置の制御方法。
【請求項１０】
被写体を撮影する撮像手段と、撮影前の被写体像をスルー画像として表示可能な表示手段とを備える撮像装置で実行される制御プログラムであって、
映像の放送を受信する映像放送受信工程と、
文字データの放送を受信する文字データ放送受信工程と、
前記映像放送受信工程で受信された映像を前記表示手段に表示させると同時に、前記文字データ放送受信工程で受信された文字データを前記表示手段に表示させるテレビモードと、前記撮像手段により被写体の撮影を行う撮影モードとのいずれかを設定するモード設定工程と、
前記モード設定工程で前記テレビモードが設定されているときに、所定のボタンが押下されると、該表示手段による映像の表示を前記スルー画像の表示に切り替えるとともに、当該スルー画像上に受信された文字データを表示するように前記表示手段を制御する制御工程と
を撮像装置に実行させることを特徴とする撮像装置の制御プログラム。
【請求項１１】
被写体を撮影する撮像手段と、撮影前の被写体像をスルー画像として表示可能な表示手段とを備える撮像装置で実行される制御プログラムであって、
映像の放送を受信する映像放送受信工程と、
文字データの放送を受信する文字データ放送受信工程と、
前記映像放送受信工程で受信された映像を前記表示手段に表示させると同時に、前記文字データ放送受信工程で受信された文字データを前記表示手段に表示させるテレビモードと、前記撮像手段により被写体の撮影を行う撮影モードとのいずれかを設定するモード設定工程と、
前記モード設定工程で前記撮影モードが設定されているときに、前記文字データ放送受信工程により受信された文字データからキーワードを抽出するキーワード抽出工程と、
当該キーワード抽出工程により抽出されたキーワードを前記スルー画像上に表示するように前記表示手段を制御する制御工程と
を撮像装置に実行させることを特徴とする撮像装置の制御プログラム。
【発明の詳細な説明】
【技術分野】
【０００１】
本発明はカメラ、デジタルカメラ、デジタルカメラ等の撮像装置、、撮像装置の制御方法及び撮像装置の制御プログラムに関する。
【背景技術】
【０００２】
近年、携帯電話を中心として、デジタル機器の融合が盛んに行われている。カメラ付きの携帯電話にデジタル放送の受信装置がついたものが、商品化されている。例えば、特許文献１では、二段式のレリーズボタンを備えたテレビ付きのデジタルカメラにおいて、レリーズボタンの一段目を押した段階でテレビモードから撮影モードへ切り替える技術が開示されている。
【０００３】
また、特許文献２では、画像にキーワードを埋め込み、画像の分類に使用する技術や、キーワードによってテレビ番組を分類する技術が提案されている。
【特許文献１】特開２００５−１６７７０１号公報
【特許文献２】特開２００２−９４４７０号公報
【発明の開示】
【発明が解決しようとする課題】
【０００４】
ところが、上記特許文献１の技術では、あくまでカメラ撮影とテレビ受信は機能としては独立のものであり、カメラ撮影中には放送を受信することはできなかった。
【０００５】
また、地域に密着した文字データ放送等で放送される文字データをカメラ撮影中にみたい又は利用したいというユーザの要望に応えることができなかった。
【０００６】
本発明の目的は、撮影中に受信している文字データ放送の文字データを閲覧又は利用することが可能な撮像装置、撮像装置の制御方法及び撮像装置の制御プログラムを提供することにある。
【課題を解決するための手段】
【０００７】
上記目的を達成するため、請求項１の撮像装置は、被写体を撮影する撮像手段と、撮影前の被写体像をスルー画像として表示可能な表示手段と、映像の放送を受信する映像放送受信手段と、文字データの放送を受信する文字データ放送受信手段と、前記映像放送受信手段で受信された映像を前記表示手段に表示させると同時に、前記文字データ放送受信手段で受信された文字データを前記表示手段に表示させるテレビモードと、前記撮像手段により被写体の撮影を行う撮影モードとのいずれかを設定するモード設定手段と、前記モード設定手段で前記テレビモードが設定されているときに、所定のボタンが押下されると、該表示手段による映像の表示を前記スルー画像の表示に切り替えるとともに、当該スルー画像上に受信された文字データを表示するように前記表示手段を制御する制御手段とを備えることを特徴とする。
【０００８】
請求項３の撮像装置は、被写体を撮影する撮像手段と、撮影前の被写体像をスルー画像として表示可能な表示手段と、映像の放送を受信する映像放送受信手段と、文字データの放送を受信する文字データ放送受信手段と、前記映像放送受信手段で受信された映像を前記表示手段に表示させると同時に、前記文字データ放送受信手段で受信された文字データを前記表示手段に表示させるテレビモードと、前記撮像手段により被写体の撮影を行う撮影モードとのいずれかを設定するモード設定手段と、前記モード設定手段で前記撮影モードが設定されているときに、前記文字データ放送受信手段により受信された文字データからキーワードを抽出するキーワード抽出手段と、当該キーワード抽出手段により抽出されたキーワードを前記スルー画像上に表示するように前記表示手段を制御する制御手段とを備えることを特徴とする。
【発明の効果】
【０００９】
本願発明によれば、テレビモードが設定されているときに、所定のボタンが押下されると、表示手段による映像の表示を被写体のスルー画像の表示に切り替えるとともに、当該スルー画像上に受信された文字データを表示するように表示手段が制御される。よって、撮影中に受信している文字データ放送の文字データを閲覧又は利用することが可能となる。また、撮影を阻害することなく文字データを閲覧又は利用することが可能となる。
【発明を実施するための最良の形態】
【００１０】
以下、図面を参照して本発明の実施の形態を説明する。
【００１１】
（第１の実施の形態）
図１は、第１の実施の形態に係る撮像装置の概略構成を示すブロック図である。この撮像装置はデジタルカメラである。
【００１２】
図１において、１００はデジタルカメラである。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１３】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１４】
２０は画像処理回路であり、 Ａ／Ｄ変換器１６からのデータ又はメモリ制御回路２２からのデータに対して所定の画素補間処理や色変換処理を行う。さらに、画像処理回路２０は、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
【００１６】
Ａ／Ｄ変換器１６のデータが画像処理回路２０及びメモリ制御回路２２を介して、又はＡ／Ｄ変換器１６のデータが直接メモリ制御回路２２を介して、画像表示メモリ２４又はメモリ３０に書き込まれる。
【００１７】
２４は画像表示メモリであり、２６はＤ／Ａ変換器である。２８はＴＦＴ−ＬＣＤ（Thin Film Transistor - Liquid Crystal Display）等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００１８】
また、画像表示部２８は、システム制御回路５０の指示により任意に表示をＯＮ／ＯＦＦすることが可能であり、表示をＯＦＦにした場合にはデジタルカメラ１００の電力消費を大幅に低減することができる。
【００１９】
３０は撮影した静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２０】
３２は適応離散コサイン変換（ＡＤＣＴ）等により画像データを圧縮伸長する圧縮・伸長回路であり、メモリ３０に格納された画像を読み込んで圧縮処理又は伸長処理を行い、処理を終えたデータをメモリ３０に書き込む。
【００２１】
４０は絞り機能を備えるシャッター１２を制御する露光制御部であり、フラッシュ４８と連携することによりフラッシュ調光機能も有する。
【００２２】
４２は撮影レンズ１０のフォーカシングを制御する測距制御部であり、４４は撮影レンズ１０のズーミングを制御するズーム制御部であり、４６は保護部１０２の動作を制御するバリア制御部である。４８はフラッシュであり、ＡＦ補助光の投光機能及びフラッシュ調光機能も有する。
【００２３】
システム制御回路５０は画像処理回路２０で得られた演算結果に基づいて露光制御部４０及び測距制御部４２に対して制御を行う。これにより、露光制御部４０及び測距制御部４２により、ＴＴＬ（スルー・ザ・レンズ）方式のＡＦ（オートフォーカス）処理、ＡＥ（自動露出）処理、ＥＦ（フラッシュプリ発光）処理等が行われる。さらに、システム制御回路５０はデジタルカメラ１００全体を制御する。
【００２４】
５２はシステム制御回路５０の動作用の定数、変数、プログラム等を記憶するメモリである。
【００２５】
５４はシステム制御回路５０でのプログラムの実行に応じて、文字、画像、音声等を用いて動作状態やメッセージ等を表示及び発音する表示／発音部である。表示／発音部５４は、デジタルカメラ１００の操作部近辺の視認し易い位置に設置され、例えばＬＣＤやＬＥＤ、発音素子等の組み合わせにより構成されている。また、表示／発音部５４の一部の表示機能は、光学ファインダー１０４内に設置されている。
【００２６】
表示／発音部５４の表示内容のうち、ＬＣＤ等に表示するものとしては、シングルショット／連写撮影表示、セルフタイマー表示、圧縮率表示、記録画素数表示、記録枚数表示などがある。さらに、残撮影可能枚数表示、シャッタースピード表示、絞り値表示、露出補正表示などがある。また、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示等も可能である。
【００２７】
また、表示／発音部５４の表示内容のうち、光学ファインダー１０４内に表示するものとしては、合焦表示、手振れ警告表示、フラッシュ充電表示、シャッタースピード表示、絞り値表示、露出補正表示等がある。５６は電気的に消去・記録可能な不揮発性メモリであり、例えばＥＥＰＲＯＭ等が用いられる。
【００２８】
６０、６２、６４、６６、６８及び７０は、システム制御回路５０の各種の動作指示を入力するための操作手段であり、スイッチやダイアル、タッチパネル、視線検知によるポインティング、音声認識装置等の単数又は複数の組み合わせで構成される。
【００２９】
６０はモードダイアルスイッチで、電源オフ、自動撮影モード、撮影モード、パノラマ撮影モード、動画撮影モード、再生モード、マルチ画面再生・消去モード、ＰＣ接続モード等の各機能モードを切り替え設定することができる。本実施の形態では、特にこのモードダイヤルスイッチによって、別ディレクトリに画像を保存するかしないかの切り替えを行う。
【００３０】
６２はシャッタースイッチＳＷ（１）で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３１】
６４はシャッタースイッチＳＷ（２）で、不図示のシャッターボタンの操作完了でＯＮとなり、露光処理、現像処理、記録処理という一連の処理の動作開始を指示する。この露光処理では撮像素子１２から読み出した信号がＡ／Ｄ変換器１６、メモリ制御回路２２を介してメモリ３０に画像データを書き込まれる。現像処理は画像処理回路２０やメモリ制御回路２２での演算を用いて実行される。記録処理では、メモリ３０から画像データが読み出され、圧縮・伸長回路３２でその画像データの圧縮が行われ、記録媒体２００又は２１０にその圧縮された画像データが書き込まれる。
【００３２】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ−ＬＣＤ等から成る画像表示部２８への電流供給を遮断することで、省電力を図ることが可能となる。
【００３３】
６８はクイックレビューＯＮ／ＯＦＦスイッチで、撮影直後に撮影した画像データを自動再生するクイックレビュー機能を設定する。
【００３４】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン等がある。またメニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等もある。本発明における第２の画像を保存する指定も操作部７０で行うことができる。
【００３５】
８０は電源制御部で、電池検出回路、ＤＣ−ＤＣコンバータ、及び通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３６】
８２及び８４はコネクタであり、８６はアルカリ電池やリチウム電池等の一次電池や、NiCd電池やNiMH電池、Li電池等の二次電池又はACアダプター等からなる電源部である。
【００３７】
９０及び９４はメモリカードやハードディスク等の記録媒体とのインタフェースであり、９２及び９６はメモリカードやハードディスク等の記録媒体と接続を行うコネクタである。９８はコネクタ９２又は９６に記録媒体２００又は２１０が装着されているか否かを検知する記録媒体着脱検知部である。
【００３８】
本実施の形態では、デジタルカメラ１００が記録媒体を取り付けるインターフェース及びコネクタを２つ備えているが、記録媒体を取り付けるインターフェース及びコネクタは、単数でも複数でもよい。また、異なる規格のインターフェース及びコネクタを組み合わせて備える構成としてもよい。インターフェース及びコネクタは、PCMCIAカードやCF（コンパクトフラッシュ(登録商標)）カード等の規格に準拠したものを用いて構成してもよい。
【００３９】
さらに、インタフェース９０及び９４、そしてコネクタ９２及び９６をPCMCIAカードやCF（コンパクトフラッシュ(登録商標)）カード等の規格に準拠したものを用いて構成することも可能である。即ち、LANカードやモデムカード、USBカード、IEEE1394カード、SCSIカード、PHSカード等の各種通信カードを接続することにより、他のコンピュータやプリンタ等の周辺機器との間で画像データや画像データに付属した管理情報を転送し合うことができる。
【００４０】
保護部１０２は、デジタルカメラ１００のレンズ１０やその周辺を覆うことにより、レンズ１０やその周辺の汚れや破損を防止する。
【００４１】
光学ファインダ１０４は、画像表示部２８による電子ファインダー機能を使用することなしに、光学ファインダのみを用いて撮影を行うことが可能である。また、光学ファインダー１０４内には、表示／発音部５４の一部の機能、例えば、合焦表示、手振れ警告表示、フラッシュ充電表示、シャッタースピード表示、絞り値表示、露出補正表示などが設置されている。
【００４２】
１１０は通信部であり、RS232CやUSB、IEEE1394、P1284、SCSI、モデム、LAN、無線通信等の各種通信機能を有する。１１２は通信部１１０によりデジタルカメラ１００を他の機器と接続するコネクタ（無線通信の場合はアンテナ）である。
【００４３】
記録媒体２００はメモリカードやハードディスク等であり、半導体メモリや磁気ディスク等から構成される記録部２０２、デジタルカメラ１００とのインタフェース２０４、及びデジタルカメラ１００と接続を行うコネクタ２０６を備えている。
【００４４】
記録媒体２１０もメモリカードやハードディスク等であり、半導体メモリや磁気ディスク等から構成される記録部２１２、デジタルカメラ１００とのインタフェース２１４、及びデジタルカメラ１００と接続を行うコネクタ２１６を備えている。
【００４５】
３００は映像放送受信部、３０１は文字データ放送受信部で、それぞれテレビ映像放送、文字データ放送等を受信し、表示／発音部５４にテレビ映像や文字データを表示する。
【００４６】
図２は、デジタルカメラ１００のシステム制御部５０で実行される処理を示すフローチャートである。図３はデジタルカメラ１００の画像表示部２８の表示例を示した図である。
【００４７】
図２において、まず、システム制御部５０が電源投入時にモードダイアルスイッチ６０がテレビモードであるかどうかを判別する（ステップＳ２０１）。
【００４８】
ステップＳ２０１においてモードダイアルスイッチ６０がテレビモードの場合には、システム制御部５０は映像放送受信部３００及び文字データ放送受信部３０１を制御し、画像表示部２８に映像及び文字データを表示させる（ステップＳ２０３）。この場合は映像に重ねて、文字データを表示してもよい。また、画像表示部２８に映像放送表示部と文字データ放送表示部（不図示）が別々に設け、映像及び文字データを別々に表示させるにしてもよい。また、映像放送及び文字データ放送のいずれか一方の放送だけを受信するようにしてもよい。尚、ステップＳ２０３では、画像表示部２８は図３の画面３０１のように放送を表示する。
【００４９】
映像放送表示中、すなわちテレビ視聴中に、システム制御部５０はシャッタスイッチＳＷ（１）６２が押下されたか否かを判別する（ステップＳ２０４）。
【００５０】
ステップＳ２０４において、シャッタスイッチＳＷ（１）６２が押下されたことが検出されない場合には、ステップＳ２０３に戻る。一方、システム制御部５０がシャッタスイッチＳＷ（１）６２の押下を検出した場合には、システム制御部５０は、映像放送受信部３００からの映像放送の受信を中止し、テレビの映像放送をオフにする（ステップＳ２０５）。システム制御部５０は、映像放送を表示していた画像表示部２８に代わりに、撮像素子１４を介して得られる撮影のスルー画像（ライブ画像）を表示する（ステップＳ２０６）。この際、文字データ放送の受信は中止せずに、文字データをスルー画像に重ねて表示するか、文字データ放送表示部に表示したままである。この場合の画像表示部２８の表示例は図３の画面３０２のようになる。
【００５１】
ここで、システム制御部５０がシャッタスイッチＳＷ（２）６３の押下を検出したか否かを判別する（ステップＳ２０７）。システム制御部５０はシャッタスイッチＳＷ（２）６３の押下を検出しない場合には、ステップＳ２０６のスルー画像の表示を継続する。一方、システム制御部５０がシャッタスイッチＳＷ（２）６３の押下を検出した場合には、通常の撮影を行い（ステップＳ２０８）、本処理を終了する。
【００５２】
上記ステップＳ２０１において、電源投入時にモードダイアルスイッチ６０がテレビモードでない場合には、システム制御部５０はモードダイアルスイッチ６０がカメラモードであるかどうかを判別する（ステップＳ２０２）。モードダイアルスイッチ６０がカメラモードでない場合には、ステップＳ２０１に戻る。一方、モードダイアルスイッチ６０がカメラモードである場合には、テレビ放送を画像表示部２８に表示せずに、文字データ放送の文字データと撮像素子１４を介して得られる撮影のスルー画像（ライブ画像）を表示するために、ステップＳ２０６に進む。
【００５３】
上記処理では、システム制御部５０がシャッタスイッチＳＷ（１）６２の押下を検出した後も、自動的に文字データ放送の受信を継続しているが、文字データ放送を表示する又はしないを選択する選択部を別途設けてもよい。また、上記処理では、システム制御部５０がシャッタスイッチＳＷ（１）６２の押下を検出した後に、自動的に映像放送（テレビモード）を中断し、スルー画像（ライブ画像）を表示するカメラモードとした。これに限らず、テレビモードにおいて、シャッタスイッチＳＷ（１）６２が押下されても強制的にカメラモードにならないように選択する選択部があってもよい。
【００５４】
本実施の形態によれば、テレビモードが設定されているときに、システム制御部５０がシャッタスイッチＳＷ（１）６２の押下を検出すると、自動的に映像放送（テレビモード）を中断し、スルー画像（ライブ画像）を表示するカメラモードとなる。そして、文字データ放送の受信は中止せずに、文字データをスルー画像に重ねて表示するか、又は文字データ放送表示部に表示する。よって、撮影中に受信している文字データ放送の文字データを閲覧又は利用することが可能となる。また、撮影を阻害することなく文字データを閲覧又は利用することが可能となる。
【００５５】
（第２の実施の形態）
以下、本発明の第２の実施の形態について図３、４を参照しながら説明する。
【００５６】
デジタルカメラ１００の構成は第１の実施の形態と同様なので説明を省略する。
【００５７】
図４は、第２の実施の形態において、システム制御部５０で実行される処理を示すフローチャートである。
【００５８】
デジタルカメラ１００をカメラモードで起動した場合に、まず画像表示部２８にはスルー画像（ライブ画像）が表示される（ステップＳ４０１）。このとき、画像表示部２８の表示例は図３の画面３０２のようになる。
【００５９】
システム制御部５０はスルー画像の表示中に文字データ放送が受信可能か否かを判別する（ステップＳ４０２）。スルー画像の表示中に文字データ放送が受信できない場合には、システム制御部５０は画像表示部２８に受信不可能だったことを示す、文字またはアイコン等を表示させ（ステップＳ４０４）、ステップＳ４０１に戻る。
【００６０】
ステップＳ４０２において、文字データ放送が受信可能である場合には、システム制御部５０は文字データ放送からキーワードを抽出し（ステップＳ４０３）、画像表示部２８においてスルー画像上にキーワードを表示させる（ステップＳ４０５）。この場合の画像表示部２８の表示例は図３の画面３０４のようになる。文字データ放送からキーワードを抽出するにあたり、抽出する手段としては、操作部７０からの入力又は自動抽出プログラムによる抽出方法がある。例えば、文字データ放送で受信される文字の中から操作部７０により任意の文字データ（キーワード）を選択して入力する。また、自動抽出プログラムで予め編集可能なように登録されている文字データ（キーワード）のリストに文字データ放送で受信された文字データがヒットした場合に抽出する。この場合、自動抽出プログラムはメモリ５２に記憶される。
【００６１】
次いで、スルー画像表示中に、システム制御部５０はシャッタースイッチＳＷ（２）６４が押下されたか否かを判別する（ステップＳ４０６）。
【００６２】
ステップＳ４０６でシャッタースイッチＳＷ（２）６４が押下されていない場合には、ステップＳ４０１に戻る。ステップＳ４０６でシャッタースイッチＳＷ（２）６４が押下された場合には、システム制御部５０は通常の撮影を開始し（ステップＳ４０７）、撮影画像のレビュー画を画像表示部２８に表示させる（ステップＳ４０８）。
【００６３】
システム制御部５０は、レビュー画の表示中に、画像に登録するキーワードの候補一覧を画像表示部２８に表示させる（ステップＳ４０９）。この場合の画像表示部２８の表示例は図３の画面３０４のようになる。
【００６４】
次いで、システム制御部５０は、表示されたキーワードの候補一覧の中から操作部７０を介してキーワードが選択されたか否かを判別する（ステップＳ４１０）。ステップＳ４１０でキーワードが選択されていない場合には、ステップＳ４０９に戻る。一方、ステップＳ４１０でキーワードが選択された場合には、システム制御部５０は、選択されたキーワードを画像表示部２８の表示されている画像に登録し（ステップＳ４１２）、撮影を終了して（ステップＳ４１３）、本処理を終了する。
【００６５】
ステップＳ４１０のキーワードの選択であるが、レビュー画を表示した時点で、使用頻度の高いキーワードは既に採用済みにチェックしておく、又は前回の撮影でも採用したものは採用済みにチェックしておくなど、ユーザの使い勝手が高くなるようにしてもよい。また、使用頻度の高いキーワード（閾値を超えている使用頻度のキーワード）のみを画像表示部２８に表示させたり、不揮発性メモリ５６に記憶させるようにしてもよい。これら場合、システム制御部５０が、キーワード自体、使用頻度が高いか否かについてのキーワード毎の閾値の情報、及びキーワード毎の使用回数の情報を不揮発性メモリ５６に記憶する。また、システム制御部５０がキーワードの使用頻度が閾値を超えているか否かを判断する。
【００６６】
また、ステップＳ４０４で文字データ放送が受信不可能であった場合には、受信不可能であったことを示すキーワードを画像に埋め込むようにしてもよい。
【００６７】
本実施の形態によれば、第１の実施の形態と同様に、撮影中に受信している文字データ放送の文字データを閲覧又は利用することが可能となる。また、撮影を阻害することなく文字データを閲覧又は利用することが可能となる。
【００６８】
さらに、文字データ放送の文字データを用いて、効果的に撮影画像にキーワードを埋め込むことが可能となり、画像の分類を簡単化することが可能である。例えば、受信番組がそのエリアやスポット限定のローカル放送であった場合には、撮影画像に関して、効果的な情報が得られる。
【００６９】
上記実施の形態は、文字データ放送から抽出したキーワードを画像のキーワードとして登録したが、文字データ放送から抽出したキーワードをデジタルカメラ１００の設定に使用するようにしてもよい。例えば、お天気チャネルで「晴れ」というキーワードが選択された場合には、ホワイトバランスを晴天の設定にするというように、システム制御部５０が選択されたキーワードに応じてデジタルカメラ１００の設定を変更するようにしてもよい。また、逆にホワイトバランスの設定メニューを表示した場合には、文字データ放送をお天気チャネルに変更するようにしてもよい。
【００７０】
また、上記実施の形態は静止画撮影の場合を想定しているが、動画撮影の場合には、キーワードがどのフレームに対応するかを動画ファイルのヘッダ、又は別のファイルに保存しておく。これにより、上述した説明は動画ファイルにも適用できる。
【００７１】
また、本実施の形態では、撮像装置としてデジタルカメラを使用したが、デジタルビデオカメラ、カメラ付きの携帯電話、ＰＤＡ端末及び楽曲ファイルや映像データを記録再生するマルチメディア記録再生端末等にも上記実施の形態は適用可能である。
【００７２】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００７３】
この場合、記憶媒体から読み出されたプログラムコード自体が前述した各実施の形態の機能を実現することになり、そのプログラムコード及び該プログラムコードを記憶した記憶媒体は本発明を構成することになる。
【００７４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７５】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００７６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００７７】
【図１】第１の実施の形態に係る撮像装置の概略構成を示すブロック図である。
【図２】デジタルカメラのシステム制御部で実行される処理を示すフローチャートである。
【図３】デジタルカメラの画像表示部の表示例を示した図である。
【図４】第２の実施の形態において、システム制御部で実行される処理を示すフローチャートである。
【符号の説明】
【００７８】
１０  撮影レンズ
１２  シャッター
１４  撮像素子（撮像手段）
２０  画像処理回路
２８  画像表示部（表示手段）
５０  システム制御回路（制御手段、キーワード抽出手段）
６０  モードダイアルスイッチ（モード設定手段）
６２  シャッタースイッチＳＷ（１）
６４  シャッタースイッチＳＷ（２）
７０  操作部（キーワード選択手段）
３００  映像放送受信部（映像放送受信手段）
３０１  文字データ放送受信部（文字データ放送受信手段）
【図１】
2008061131.tif 000003
【図２】
2008061131.tif 000004
【図３】
2008061131.tif 000005
【図４】
2008061131.tif 000006